(57)【特許請求の範囲】
【請求項１】
プレキャストコンクリート柱梁架構において、第１のプレキャストコンクリート部材に対して、２つの異なる方向から第２及び第３のプレキャストコンクリート部材を、前記第１のプレキャストコンクリート部材、又は、前記第２及び第３のプレキャストコンクリート部材のうち、一方のプレキャストコンクリート部材から突出する鉄筋を、他方のプレキャストコンクリート部材に埋設された継手部材に挿入するプレキャストコンクリート部材の建て込み方法であって、
前記第１のプレキャストコンクリート部材を、本来の建て込み位置からずらした状態で、前記鉄筋の先端を当該鉄筋に対応する前記継手部材に挿入し、前記第１のプレキャストコンクリート部材を本来の建て込み位置に向けて回転させながら、前記鉄筋を対応する前記継手部材に挿入していくことにより、前記第１のプレキャストコンクリート部材を本来の建て込み位置に建て込むことを特徴とするプレキャストコンクリート部材の建て込み方法。
【請求項２】
前記第２のコンクリート部材又は前記第３のコンクリート部材の何れか一方を本来の建て込み位置からずらしたことを特徴とする請求項１に記載のプレキャストコンクリート部材の建て込み方法。
【請求項３】
前記第２のコンクリート部材及び前記第３のコンクリート部材の両方を本来の建て込み位置からずらしたことを特徴とする請求項１に記載のプレキャストコンクリート部材の建て込み方法。
【請求項４】
請求項１〜３のプレキャストコンクリート部材の建て込み方法であって、前記第１のプレキャストコンクリート部材は、仕口部、仕口部を含む梁、又は仕口部を含む柱であり、前記第２及び第３のコンクリート部材は、仕口部、仕口部を含む梁、梁、又は仕口部を含む柱であることを特徴とするプレキャストコンクリート部材の建て込み方法。
【請求項５】
プレキャストコンクリート柱梁架構において、第１のプレキャストコンクリート部材に対して、２つの異なる方向から第２及び第３のプレキャストコンクリート部材を、前記第１のプレキャストコンクリート部材、又は、前記第２及び第３のプレキャストコンクリート部材のうち、一方のプレキャストコンクリート部材から突出する鉄筋を、他方のプレキャストコンクリート部材に埋設された継手部材に挿入するプレキャストコンクリート部材の建て込み方法であって、
前記第２及び第３のプレキャストコンクリート部材を、本来の建て込み位置からずらした状態で、前記鉄筋の先端を当該鉄筋に対応する前記継手部材に挿入し、前記第２及び第３のプレキャストコンクリート部材を本来の建て込み位置に向けて回転させながら、前記鉄筋を対応する前記継手部材に挿入していくことにより、前記第２及び第３のプレキャストコンクリート部材を本来の建て込み位置に建て込むことを特徴とするプレキャストコンクリート部材の建て込み方法。
【発明の詳細な説明】
【技術分野】
【０００１】
本発明は、プレキャストコンクリート部材の建て込み方法に関する。
【背景技術】
【０００２】
プレキャストコンクリート部材の建て込み方法の一例として、図１９（ｈ）に示すように、複数本のプレキャストコンクリート柱（ＰＣ柱１−１〜１−６）を複数箇所（６箇所）に建て込み、これらＰＣ柱１−１〜１−６間、にそれぞれプレキャストコンクリート梁（ＰＣ梁２−１〜２−７）を建て込んだプレキャストコンクリート柱梁架構（ＰＣ柱梁架構）がある（例えば、特許文献１参照。）。
【０００３】
このような構成のＰＣ柱梁架構は、例えば、図１９（ａ）に示すように、図中左上のＰＣ柱１−１の上部に仕口部３−１を配置し、この仕口部３−１の図中右方に、ＰＣ梁２−１、仕口部３−２、ＰＣ梁２−２、及び仕口部３−３をそれらの順に配置し、それらの部材を図中左方に水平移動させて、各仕口部３−１〜３−３の梁主筋継手（図示せず）内に各ＰＣ梁２−１〜２−２の梁主筋を挿入することにより、各仕口部３−１〜３−３と各ＰＣ梁２−１〜２−２とを接続する。
【０００４】
また、この際に、各仕口部３−１〜３−３の貫通孔（図示せず）内に上方から中継筋（図示せず）を挿入し、この中継筋を各ＰＣ柱１−１〜１−３の柱主筋継手（図示せず）内に挿入することにより、各仕口部３−１〜３−３を各ＰＣ柱１−１〜１−３に接続する。
【０００５】
次に、図１９（ｂ）に示すように、各ＰＣ柱１−１〜１−３上に設けられた３つの仕口部３−１〜３−３の図中下方にそれぞれＰＣ梁２−３〜２−５を配置し、これらのＰＣ梁２−３〜２−５を図中上方に水平移動させ、各ＰＣ梁２−３〜２−５の梁主筋を各仕口部３−１〜３−３の梁主筋継手内に挿入することにより、各仕口部３−１〜３−３に各ＰＣ梁２−３〜２−５を接続する。
【０００６】
次に、図１９（ｂ）に示すように、ＰＣ梁２−３及びＰＣ梁２−４の図中下方にそれぞれ仕口部３−４、３−５を配置し、各仕口部３−４、３−５を図中上方に水平移動させ、各仕口部３−４、３−５の梁主筋継手内に各ＰＣ梁２−３、２−４の梁主筋を挿入することにより、各ＰＣ梁２−３、２−４に各仕口部３−４、３−５を接続する。
【０００７】
次に、図１９（ｃ）及び図１９（ｄ）に示すように、仕口部３−４と仕口部３−５との間に、両端部に梁主筋継手が埋設されたＰＣ梁２−６を上方から落とし込み、図中左側の仕口部３−４の貫通孔内に左方から定着具を備えた中継筋（図示せず）を挿入し、この中継筋をＰＣ梁２−６の梁主筋継手内に挿入することにより、ＰＣ梁２−６を仕口部３−４に接続する。
【０００８】
次に、図１９（ｅ）に示すように、仕口部３−５の図中右方にＰＣ梁２−７を配置し、このＰＣ梁２−７を図中左方へ水平移動させ、このＰＣ梁２−７の梁主筋を仕口部３−５の梁主筋継手内に挿入することにより、仕口部３−５にＰＣ梁２−７を接続する。
【０００９】
そして、最後に、図１９（ｆ）〜図１９（ｈ）に示すように、ＰＣ梁２−５とＰＣ梁２−７との間に仕口部３−６を配置し、図中右方から仕口部３−６の貫通孔内に定着具を備えた中継筋（図示せず）を挿入し、この中継筋をＰＣ梁２−７の梁主筋継手内に挿入し、図中下方から仕口部３−６の貫通孔内に定着具を備えた中継筋（図示せず）を挿入し、この中継筋をＰＣ梁２−５の梁主筋継手内に挿入することにより、仕口部３−６とＰＣ梁２−７及びＰＣ梁２−５とを接続する。
【００１０】
このようにして、既に建て込んである複数本のＰＣ柱１−１〜１−６の隣接するＰＣ柱間１−１〜１−２、……、１−５〜１−６にそれぞれＰＣ梁２−１〜２−７を建て込むことができ、格子状のＰＣ柱梁架構１を構築することができる。
【００１１】
ところで、上記のような構成のＰＣ柱梁架構１にあっては、最後のコーナー部において、ＰＣ梁２−５及びＰＣ梁２−７と仕口部３−６とを相互に接続する際に、仕口部３−６の貫通孔内に定着具を備えた中継筋を二方向（図中左右、上下方向）から挿入し、その中継筋をＰＣ梁２−５及びＰＣ梁２−７の梁主筋継手内に挿入する作業が必要になる。
【００１２】
このため、重量物である仕口部３−６を、中継筋のＰＣ梁２−５及びＰＣ梁２−７の梁主筋継手内への挿入が完了するまで、仕口部３−６の貫通孔とＰＣ梁２−５及びＰＣ梁２−７の梁主筋継手とを合わせた状態に支持し続けなければならず、非常に手間のかかる作業となる。
【００１３】
また、仕口部３−６の貫通孔内に定着具を備えた中継筋を二方向（図中左右、上下方向）から挿入した後に、その外側にコンクリートを打設して仕口部３−６と一体化しなければならず、その作業に非常に手間がかかる。
【００１４】
さらに、仕口部３−６、ＰＣ梁２−５、又はＰＣ梁２−７梁の何れかを、施工上の問題から現場打ち工法によって製作することもあり、そのような場合には、型枠の設置、配筋、コンクリートの打設、型枠の撤去等の作業が必要になり、その作業に非常に手間がかかる。
【先行技術文献】
【特許文献】
【００１５】
【特許文献１】特開２００６−２２４９４号公報
【発明の概要】
【発明が解決しようとする課題】
【００１６】
本発明は、上記のような従来の問題に鑑みなされたものであって、建て込みに要する手間を大幅に削減することができるプレキャストコンクリート部材の建て込み方法を提供することを目的とする。
【課題を解決するための手段】
【００１７】
上記のような課題を解決するために、本発明は、以下のような手段を採用している。
すなわち、本発明は、プレキャストコンクリート柱梁架構において、第１のプレキャストコンクリート部材に対して、２つの異なる方向から第２及び第３のプレキャストコンクリート部材を、前記第１のプレキャストコンクリート部材、又は、前記第２及び第３のプレキャストコンクリート部材のうち、一方のプレキャストコンクリート部材から突出する鉄筋を、他方のプレキャストコンクリート部材に埋設された継手部材に挿入するプレキャストコンクリート部材の建て込み方法であって、前記第１のプレキャストコンクリート部材を、本来の建て込み位置からずらした状態で、前記鉄筋の先端を当該鉄筋に対応する前記継手部材に挿入し、前記第１のプレキャストコンクリート部材を本来の建て込み位置に向けて回転させながら、前記鉄筋を対応する前記継手部材に挿入していくことにより、前記第１のプレキャストコンクリート部材を本来の建て込み位置に建て込むことを特徴とする。
【００１８】
本発明のプレキャストコンクリート部材の建て込み法によれば、第１のプレキャストコンクリート部材を、本来の建て込み位置からずらした状態とし、この状態で、一方の部材の鉄筋を他方の部材の継手部材に挿入する。そして、第１のプレキャストコンクリート部材を本来の建て込み位置に向けて回転させながら、鉄筋を対応する継手部材に挿入していき、鉄筋を対応する継手部材に完全に挿入することにより、第１のプレキャストコンクリート部材を本来の建て込み位置に建て込むことができる。
【００１９】
また、本発明において、前記第２のコンクリート部材又は前記第３のコンクリートの何れか一方を本来の建て込み位置からずらしたこととしてもよい。
【００２０】
本発明のプレキャストコンクリート部材の建て込み方法によれば、第１のプレキャストコンクリート部材を本来の建て込み位置に向けて回転させながら、第２のコンクリート部材又は第３のコンクリート部材の何れか一方を本体の建て込み位置に向けて回転（移動）させることにより、第１のプレキャストコンクリート部材、及び第２のコンクリート部材又は第３のコンクリート部材の何れか一方を本来の建て込み位置に建て込むことができる。
【００２１】
さらに、本発明において、前記第２のコンクリート部材及び前記第３のコンクリート部材の両方を本来の建て込み位置からずらしたこととしてもよい。
【００２２】
本発明のプレキャストコンクリート部材の建て込み方法によれば、第１のプレキャストコンクリート部材を本来の建て込み位置に向けて回転させながら、第２のコンクリート部材及び第３のコンクリート部材の両方を本体の建て込み位置の方向に移動させることにより、第１のプレキャストコンクリート部材、第２のコンクリート部材、及び第３のコンクリート部材を本来の建て込み位置に建て込むことができる。
【００２３】
さらに、本発明において、請求項１〜３のプレキャストコンクリート部材の建て込み方法であって、前記第１のプレキャストコンクリート部材は、仕口部、仕口部を含む梁、又は仕口部を含む柱であり、前記第２及び第３のコンクリート部材は、仕口部、仕口部を含む梁、梁、又は仕口部を含む柱であることとしてもよい。
【００２４】
本発明のプレキャストコンクリート部材の建て込み方法によれば、第１のプレキャストコンクリート部材を、仕口部、仕口部を含む梁、又は仕口部を含む柱として、第２及び第３のコンクリート部材を、仕口部、仕口部を含む梁、梁、又は仕口部を含む柱として、これらを任意に組み合わせたプレキャストコンクリート柱梁架構に適用することができる。
但し、柱梁架構を構成することができない組み合わせ（例えば、第１プレキャストコンクリート部材が仕口部を含む柱、第２及び第２コンクリート部材が仕口部を含む柱等の組み合わせ）には適用することができない。
【００２５】
また、本発明は、プレキャストコンクリート柱梁架構において、第１のプレキャストコンクリート部材に対して、２つの異なる方向から第２及び第３のプレキャストコンクリート部材を、前記第１のプレキャストコンクリート部材、又は、前記第２及び第３のプレキャストコンクリート部材のうち、一方のプレキャストコンクリート部材から突出する鉄筋を、他方のプレキャストコンクリート部材に埋設された継手部材に挿入するプレキャストコンクリート部材の建て込み方法であって、前記第２及び第３のプレキャストコンクリート部材を、本来の建て込み位置からずらした状態で、前記鉄筋の先端を当該鉄筋に対応する前記継手部材に挿入し、前記第２及び第３のプレキャストコンクリート部材を本来の建て込み位置に向けて回転させながら、前記鉄筋を対応する前記継手部材に挿入していくことにより、前記第２及び第３のプレキャストコンクリート部材を本来の建て込み位置に建て込むことを特徴とする。
【発明の効果】
【００２６】
以上、説明したように、本発明のプレキャストコンクリート部材の建て込み方法によれば、第１のプレキャストコンクリート部材に対して、２つの異なる方向から第２及び第３のプレキャストコンクリート部材を接合する際に、第１プレキャストコンクリート部材あるいは前記第２及び第３のプレキャストコンクリート部材を、本来の建て込み位置からずらした状態として、前記第１のプレキャストコンクリート部材、又は、前記第２及び第３のプレキャストコンクリート部材のうち、一方の部材の鉄筋を他方の部材の継手部材に挿入し、第１のプレキャストコンクリート部材あるいは第２及び第３のプレキャストコンクリート部材を本来の建て込み位置に向けて回転させながら、鉄筋を対応する継手部材に挿入していくことにより、第１のプレキャストコンクリート部材あるいは第２及び第３のプレキャストコンクリート部材を本来の建て込み位置に建て込むことができる。従って、現場打ち工法によって建て込む必要がないので、型枠の設置、コンクリートの打設、型枠の撤去等の工事が不要となり、プレキャストコンクリート部材の建て込みに要する手間を大幅に削減することができる。
【図面の簡単な説明】
【００２７】
【図１】本発明によるプレキャストコンクリート部材の建て込み方法の第１の実施の形態を示した概略図である。
【図２】図１の外周架構を構成する複数のプレキャストコンクリート梁の相互間の関係を示した説明図である。
【図３】図１の外周架構のコーナー部の接合手順を示した説明図であって、プレキャストコンクリート梁を本来の建て込み位置から水平方向にずらした状態に配置した説明図である。
【図４】図３のプレキャストコンクリート梁を本来の建て込み位置の方向に回転させた状態を示した説明図である。
【図５】図３のプレキャストコンクリート梁を本来の建て込み位置の方向に更に回転させた状態を示した説明図である。
【図６】図３のプレキャストコンクリート梁を本来の建て込み位置に建て込んだ状態を示した説明図である。
【図７】梁主筋継手と梁主筋との関係を示した説明図である。
【図８】本発明によるプレキャストコンクリート部材の建て込み方法の第２の実施の形態を示した説明図であって、プレキャストコンクリート梁を本来の建て込み位置から水平方向にずらした状態に配置した説明図である。
【図９】図８のプレキャストコンクリート梁を本来の建て込み位置の方向に回転させた状態を示した説明図である。
【図１０】図８のプレキャストコンクリート梁を本来の建て込み位置の方向に更に回転させた状態を示した説明図である。
【図１１】図８のプレキャストコンクリート梁を本来の建て込み位置に建て込んだ状態を示した説明図である。
【図１２】本発明によるプレキャストコンクリート部材の建て込み方法の第３の実施の形態を示した説明図であって、プレキャストコンクリート梁を本来の建て込み位置から水平方向にずらした状態に配置した状態を示した説明図である。
【図１３】図１２のプレキャストコンクリート梁を本来の建て込み位置の方向に回転させた状態を示した説明図である。
【図１４】図１２のプレキャストコンクリート梁を本来の建て込み位置に建て込んだ状態を示した説明図である。
【図１５】本発明によるプレキャストコンクリート部材の建て込み方法の第４の実施の形態を示した説明図である。
【図１６】各実施の形態のプレキャストコンクリート部材の建て込み方法の変形例を示した説明図である。
【図１７】本発明のプレキャストコンクリート部材の建て込み方法が適用される第１のプレキャストコンクリート部材の具体例を示した説明図である。
【図１８】本発明のプレキャストコンクリート部材の建て込み方法が適用される第２及び第３のプレキャストコンクリート部材の具体例を示した説明図である。
【図１９】従来のプレキャストコンクリート部材の建て込み方法の一例を示した説明図である。
【発明を実施するための形態】
【００２８】
以下、図面を参照しながら本発明の実施の形態について説明する。図１〜図６には、本発明によるプレキャストコンクリート部材の建て込み方法の第１の実施の形態が示されている。
本実施の形態のプレキャストコンクリート部材の建て込み方法は、図１及び図２に示すように、プレキャストコンクリート柱（ＰＣ柱１−１〜１−１４）の上部に、複数のプレキャストコンクリート梁（ＰＣ梁２−１〜２−１８）を順次接合することによって構築した外周架構１０のコーナー部１２の接合に適用したものである。
【００２９】
本実施の形態では、ＰＣ梁として、図２に示すように、外周架構１０のコーナー部１２には、梁部２ｂと、梁部２ｂの長手方向の一端に設けられる仕口部２ａと、梁部２ｂの長手方向の他端面及び仕口部２ａの梁部２ｂに隣接する側面からそれぞれ突出する梁主筋３を備えたＬＲ１タイプのＰＣ梁２−１、２−１８、梁部２ｂと、梁部２ｂの長手方向の一端に設けられる仕口部２ａと、梁部２ｂの長手方向の他端部及び仕口部２ａの梁部２ｂに隣接する側面に設けられる梁主筋継手４とを備えたＬＲ２タイプのＰＣ梁２−５、２−１０を用いる。
なお、ＰＣ梁２−１、ＰＣ梁２−１８及びＰＣ梁２−５、ＰＣ梁２−１０の仕口部２ａには、鉛直方向を向く貫通孔（図示せず）が設けられている。
【００３０】
さらに、ＰＣ梁として、図２に示すように、外周架構１０の直線部１１には、梁部２ｂと、梁部２ｂの長手方向の中央部に設けられる仕口部２ａと、梁部２ｂの長手方向の一端から突出する梁主筋３と、梁部２ｂの長手方向の他端部に設けられる梁主筋継手４とを備えたＬＲ３タイプのＰＣ梁２−２〜２−４、２−７〜２−８、２−１１〜２−１３、２−１５〜２−１６、梁部２ｂと、梁部２ｂの長手方向の一端から突出する梁主筋３と、梁部２ｂの長手方向の他端部に設けられる梁主筋継手４とを備えたＨ１タイプのＰＣ梁２−６、２−１７、梁部２ｂと、梁部２ｂの長手方向の両端部に設けられた梁主筋継手４とを備えたＨ２タイプのＰＣ梁２−１４、及び梁部２ｂと、梁部２ｂの長手方向の両端から突出する梁主筋３とを備えたＨ３タイプのＰＣ梁２−９を用いる。
なお、ＰＣ梁２−２〜２−４、２−７〜２−８、２−１１〜２−１３、２−１５〜２−１６の仕口部２ａには、鉛直方向を向く貫通孔（図示せず）、及び、周回部分１０の内側に配置されるＰＣ梁を水平方向から接続するための梁主筋継手（図示せず）が設けられている。
【００３１】
そして、上記のような構成の複数のＰＣ梁２−１〜２−１８を順次接続して外周架構１０を構築するには、既に建て込まれている下階の複数のＰＣ柱１−１〜１−１４のうち、図１の右上端のＰＣ柱１−１の上部にＰＣ梁２−１を配置し、このＰＣ梁２−１の仕口部２ａの貫通孔（図示せず）内に上方から中継柱主筋を挿通し、この中継柱主筋をＰＣ柱１−１の柱主筋継手内に挿入することにより、ＰＣ梁２−１をＰＣ柱１−１に接続する。
【００３２】
次に、ＰＣ梁２−１の前方（図１中下方）にＰＣ梁２−２を配置し、このＰＣ梁２−２を水平移動させることにより、このＰＣ梁２−２の梁主筋継手４内にＰＣ梁２−１の梁主筋３を挿入し、ＰＣ梁２−２をＰＣ梁２−１に接続するとともに、このＰＣ梁２−２の仕口部２ａをＰＣ柱１−２の上部に配置し、上方から仕口部２ａの貫通孔（図示せず）内に中継柱主筋を挿通し、この中継柱主筋をＰＣ柱１−２の柱主筋継手内に挿入することにより、ＰＣ梁２−２をＰＣ柱１−２に接続する。
なお、ＰＣ梁２−２を、ＰＣ柱１−２の斜め上方又は側方から移動させることにより、ＰＣ梁２−２の梁主筋継手４内にＰＣ梁２−１の梁主筋３を挿入してもよい。
【００３３】
そして、同様の手順により、ＰＣ梁２−３、及びＰＣ梁２−４を、それぞれＰＣ梁２−２、及びＰＣ梁２−３に接続するとともに、ＰＣ梁２−３、及びＰＣ梁２−４を、仕口部２ａを介してそれぞれＰＣ柱１−３、及びＰＣ柱１−４に接続し、さらに、ＰＣ梁２−５を仕口部２ａを介してＰＣ梁１−５に接続する。
【００３４】
次に、ＰＣ梁２−５の左方（図１中左方）にＰＣ梁２−６を配置し、このＰＣ梁２−６を水平移動させることにより、ＰＣ梁２−６の梁主筋３をＰＣ梁２−５の仕口部２ａの梁主筋継手４内に挿入し、ＰＣ梁２−６をＰＣ梁２−５に接続する。
なお、ＰＣ梁２−６を、ＰＣ柱１−５の斜め上方又は側方から移動させることにより、ＰＣ梁２−６の梁主筋３をＰＣ梁２−５の仕口部２ａの梁主筋継手４内に挿入してもよい。
【００３５】
次に、ＰＣ梁２−２と同様の手順により、ＰＣ梁２−７及びＰＣ梁２−８を、それぞれＰＣ梁２−６及びＰＣ梁２−７に接続するとともに、ＰＣ梁２−７及びＰＣ梁２−８を、仕口部２ａを介してそれぞれＰＣ柱１−６及びＰＣ柱１−７に接続する。さらに、ＰＣ梁２−６と同様の手順により、ＰＣ梁２−９をＰＣ梁２−８に接続する。
【００３６】
次に、ＰＣ梁２−５と同様の手順により、ＰＣ梁２−１０をＰＣ梁２−９に接続するとともに、ＰＣ梁２−１０を仕口部２ａを介してＰＣ柱１−８に接続する。
【００３７】
次に、ＰＣ梁２−２と同様の手順により、ＰＣ梁２−１１、ＰＣ梁２−１２、及びＰＣ梁１３を、それぞれＰＣ梁２−１０、ＰＣ梁２−１１、及びＰＣ梁１２に接続するとともに、ＰＣ梁２−１１、ＰＣ梁２−１２、及びＰＣ梁２−１３を仕口部２ａを介してそれぞれＰＣ柱１−９、ＰＣ柱１−１０、ＰＣ柱１−１１に接続する。
【００３８】
次に、ＰＣ梁２−６と同様の手順により、ＰＣ梁２−１４をＰＣ梁２−１に接続し、ＰＣ梁２−２と同様の手順により、ＰＣ梁２−１５及びＰＣ梁２−１６を、それぞれＰＣ梁２−１４及びＰＣ梁２−１５に接続するとともに、ＰＣ梁２−１５及びＰＣ梁２−１６を、仕口部２ａを介してそれぞれＰＣ柱１−１２及びＰＣ柱１−１３に接続する。
【００３９】
次に、図３に拡大して示すように、ＰＣ梁２−１３とＰＣ梁２−１６との間に、ＰＣ梁２−１７及びＰＣ梁２−１８を配置する。
ここで、ＰＣ梁２−１８が第１のプレキャストコンクリート部材であり、ＰＣ梁２−１６及びＰＣ梁２−１７が第２のコンクリート部材（第２のプレキャストコンクリート部材）であり、ＰＣ梁２−１３が第３のコンクリート部材（第３のプレキャストコンクリート部材）であり、第２コンクリート部材のＰＣ梁２−１７は中間梁である。
【００４０】
そして、ＰＣ梁２−１７及びＰＣ梁２−１８を、ＰＣ梁２−１３とＰＣ梁２−１６との間に、ＰＣ梁２−１３及びＰＣ梁２−１６と同一高さ、かつ水平となるように配置するとともに、ＰＣ梁２−１７を本来の建て込み位置から図３中上方に、ＰＣ梁２−１８を図３中左方にそれぞれずらした状態とする。つまり、ＰＣ梁２−１７を本来の建て込み位置から図３中上方に所定の角度傾け、ＰＣ梁２−１８を本来の建て込み位置から図３中左方に所定の角度傾け、ＰＣ梁２−１７の梁主筋３の軸線をＰＣ梁２−１６の梁主筋継手４の軸線に対して所定の角度傾け、ＰＣ梁２−１８の梁主筋３の軸線をＰＣ梁２−１３の梁主筋継手４の軸線に対して所定の角度傾ける。
【００４１】
ここで、図７に示すように、梁主筋継手４と梁主筋３との間には所定のクリアランスが設けられているので、ＰＣ梁２−１７、及びＰＣ梁２−１８の傾斜角度は、ＰＣ梁２−１７の右端の梁主筋３の先端がＰＣ梁２−１６の左端の梁主筋継手４の入口に僅かにかかり、左端の梁主筋継手４の入口にＰＣ梁２−１８の仕口部２ａの梁主筋３の先端が僅かにかかり、ＰＣ梁２−１８の梁部２ｂの梁主筋３の先端がＰＣ梁２−１３の梁主筋継手４の入口に僅かにかかるように調整する。
【００４２】
そして、この状態で、図４及び図５に示すように、ＰＣ梁２−１７を図中矢印ａ方向（本来の建て込み位置の方向）に徐々に回転させ、ＰＣ梁２−１８を図中矢印ｂ方向（本来の建て込み位置の方向）に徐々に回転させながら、ＰＣ梁２−１８を図中矢印ｃ方向（ＰＣ梁２−１３の梁主筋継手４の軸線方向）にスライドさせると、ＰＣ梁２−１８の梁主筋３がＰＣ梁２−１３の梁主筋継手４内に徐々に挿入されていくとともに、ＰＣ梁２−１７がＰＣ梁２−１６の梁主筋継手４の軸線方向にスライドして、ＰＣ梁２−１７の梁主筋３がＰＣ梁２−１６の梁主筋継手４内に徐々に挿入されていく。
【００４３】
そして、図６に示すように、ＰＣ梁２−１７の右端の梁主筋３がＰＣ梁２−１６の左端の梁主筋継手４内に完全に挿入され、ＰＣ梁２−１８の仕口部２ａの梁主筋３がＰＣ梁２−１７の左端の梁主筋継手４内に完全に挿入され、ＰＣ梁２−１８の梁部２ｂの梁主筋３がＰＣ梁２−１３の梁主筋継手４内に完全に挿入されることにより、ＰＣ梁２−１７及びＰＣ梁２−１８が本来の建て込み位置に建て込まれる。
【００４４】
そして、ＰＣ梁２−１７及びＰＣ梁２−１８を本来の位置に建て込んだ状態で、各ＰＣ梁２−１〜２−１８の接続部分、及び各ＰＣ梁２−１〜２−１８と各ＰＣ柱１−１〜１−１４との接続部分にグラウトを注入することにより、複数のＰＣ梁２−１〜２−１８を一体に接合することができるとともに、複数のＰＣ梁２−１〜２−１８と複数のＰＣ柱１−１〜１−１４とを一体化することができる。
【００４５】
上記のように構成した本実施の形態のプレキャストコンクリート部材の建て込み方法にあっては、複数のＰＣ梁２−１〜２−１８からなる外周架構１０のコーナー部１２のＰＣ梁２−１７及びＰＣ梁２−１８を本来の建て込み位置に建て込む場合に、ＰＣ梁２−１７及びＰＣ梁２−１８を本来の建て込み位置から水平方向にずらした状態とし、その状態からＰＣ梁２−１７及びＰＣ梁２−１８を本来の建て込み位置に向けて徐々に回転させながら、ＰＣ梁２−１６及びＰＣ梁２−１３の梁主筋継手４の方向にスライドさせ、ＰＣ梁２−１７及びＰＣ梁２−１８の梁主筋３をＰＣ梁２−１６及びＰＣ梁２−１３の梁主筋継手４内に徐々に挿入させることにより、本来の位置に建て込むことができる。
【００４６】
従って、従来のように、重量物である仕口部を、中継筋の２つのＰＣ梁の梁主筋継手内への挿入が完了するまで、仕口部の貫通孔と２つのＰＣ梁の梁主筋継手とを合わせた状態に支持し続けるような煩雑な作業が不要となり、仕口部の接合に要する手間を大幅に削減することができる。
【００４７】
また、現場打ち工法により、ＰＣ梁２−１３とＰＣ梁２−１８との間、ＰＣ梁２−１６とＰＣ梁２−１７との間、ＰＣ梁２−１７とＰＣ梁２−１８との間を接合する必要がないので、型枠工事、コンクリート打設工事等が不要となり、仕口部の接合に要する手間を大幅に削減することができる。
【００４８】
なお、上記の説明においてはＰＣ梁２−１７及びＰＣ梁２−１８を、外周架構１０を構成する水平面内において、本来の建て込み位置からずらした状態とし、その状態から本来の建て込み位置に向けて回転させながら、ＰＣ梁２−１６及びＰＣ梁２−１３の梁主筋継手４の軸線方向にスライドさせたが、外周架構１０を構成する水平面よりも上方の位置にＰＣ梁２−１７及びＰＣ梁２−１８を、本来の建て込み位置からずらした状態に配置し、その状態からＰＣ梁２−１７及びＰＣ梁２−１８を、本来の建て込み位置の方向に回転（移動）させながら、ＰＣ梁２−１６及びＰＣ梁２−１３の梁主筋継手４の軸線方向にスライドさせるように構成してもよい。
【００４９】
また、前記の説明において、ＰＣ梁２−１７、及びＰＣ梁２−１８のスパンが長くなるほど、ＰＣ梁２−１７、及びＰＣ梁２−１８のＰＣ梁２−１６及びＰＣ梁２−１３の梁主筋継手４の軸線方向へのスライド量を少なくすることができる。
【００５０】
さらに、前記の説明においては、ＰＣ梁２−１７の右端の梁主筋３をＰＣ梁２−１６の左端の梁主筋継手４内に挿入し、ＰＣ梁２−１８の仕口部２aの梁主筋をＰＣ梁２−１７の左端の梁主筋継手４内に挿入し、ＰＣ梁２−１８の梁部２ｂの梁主筋３をＰＣ梁２−１３の梁主筋継手４内に挿入したが、ＰＣ梁２−１７の右端に梁主筋継手を設け、左端に梁主筋を設け、ＰＣ梁２−１８の仕口部２ａ及び梁部１ｂにそれぞれ梁主筋継手を設け、ＰＣ梁２−１３及びＰＣ梁２−１６に梁主筋を設け、ＰＣ梁２−１７の右端の梁主筋継手にＰＣ梁２−１６の梁主筋を挿入し、ＰＣ梁２−１８の仕口部２ａの梁主筋継手にＰＣ梁２−１７の左端の梁主筋を挿入し、ＰＣ梁２−１８の梁部１ｂの梁主筋継手にＰＣ梁２−１３の梁主筋を挿入するように構成してもよい。
【００５１】
さらに、前記の説明においては、約９０°の仕口部（コーナー部１２）の建て込みに適用したが、図１６に示すように、９０°以外の角度のプレキャストコンクリート柱梁架構１の仕口部の建て込みに適用してもよいものであり、その場合にも同様の作用効果を奏する。
【００５２】
さらに、本実施の形態において、ＰＣ梁２−１６及びＰＣ梁２−１３は、プレキャストコンクリート造に限らず、現場打ち工法によって製造されたコンクリート梁であってもよい。
【００５３】
図８〜図１１には、本発明によるプレキャストコンクリート部材の建て込み方法の第２の実施の形態が示されている。
本実施の形態は、ＰＣ梁２−１３とＰＣ梁２−１６との間に、図８に示すように、１つのＰＣ梁２−１８を、本体の建て込み位置から水平方向にずらした状態（所定の角度傾けた状態）に配置し、この状態から、図９及び図１０に示すように、ＰＣ梁２−１８を図中矢印ａ方向に徐々に回転させながら、図中ｂ方向にスライドさせることにより、ＰＣ梁２−１８の仕口部２ａの梁主筋３をＰＣ梁２−１３の梁主筋継手４内に徐々に挿入し、梁部２ｂの梁主筋をＰＣ梁２−１６の梁主筋継手４内に徐々に挿入し、図１１に示すように、ＰＣ梁２−１８を本来の位置に建て込んだものである。
【００５４】
ここで、ＰＣ梁２−１８が第１のプレキャストコンクリート部材であり、ＰＣ梁２−１３が第２のコンクリート部材（第２のプレキャストコンクリート部材）であり、ＰＣ梁２−１６が第３のコンクリート部材（第３のプレキャストコンクリート部材）である。
そして、本実施の形態においても、前記第１の実施の形態と同様の作用効果を奏する。
【００５５】
なお、本実施の形態においても、ＰＣ梁２−１８の仕口部２ａに梁主筋継手を設け、梁部２ｂに梁主筋継手を設け、ＰＣ梁２−１３及びＰＣ梁２−１６に梁主筋を設け、ＰＣ梁２−１８の仕口部２ａの梁主筋継手内にＰＣ梁２−１３の梁主筋を挿入し、梁部２ｂの梁主筋継手内にＰＣ梁２−１６の梁主筋を挿入するように構成してもよい。
【００５６】
また、本実施の形態においても、ＰＣ梁２−１８を、本来の建て込み位置から上方にずらした状態に配置し、その状態から本来の建て込み位置に向けて回転（移動）させることにより、本来の建て込み位置に建て込むように構成してもよい。
【００５７】
さらに、本実施の形態においても、９０°以外の角度のプレキャストコンクリート柱梁架構１（図１６参照）の仕口部の建て込みに適用してもよい。
【００５８】
さらに、本実施の形態においても、ＰＣ梁２−１８のスパンが長くなるほど、ＰＣ梁２−１８のＰＣ梁２−１６及びＰＣ梁２−１３の梁主筋継手４の軸線方向へのスライド量を少なくすることができる。
【００５９】
さらに、本実施の形態においても、ＰＣ梁２−１３及びＰＣ梁２−１６は、プレキャストコンクリート造に限らず、現場打ち工法によって製作されたコンクリート梁であってもよい。
【００６０】
図１２〜図１４には、本発明によるプレキャストコンクリート部材の建て込み方法の第３の実施の形態が示されている。
本実施の形態は、ＰＣ柱梁架構１の外周架構１０の直線部１１を構成するＰＣ梁（例えば、ＰＣ梁２−４）と、内周架構１５の直線部分を構成するＰＣ梁２−２０とを、ＰＣ梁２−１９で接続する場合に適用したものである。
【００６１】
ここで、ＰＣ梁２−１９が第１のプレキャストコンクリート部材であり、ＰＣ梁２−２２０が第２のコンクリート部材（第２のプレキャストコンクリート部材）であり、ＰＣ梁２−４が第３のコンクリート部材（第３のプレキャストコンクリート部材）である。
【００６２】
本実施の形態では、図１２に示すように、内周架構１５を構成するＰＣ梁２−２０を、本来の建て込み位置から図中左方にずらした（所定の角度傾けた）状態に配置し、ＰＣ梁２−２０と外周架構１０のＰＣ梁２−４との間に、本来の建て込み位置から図中下方に所定の距離ずれた位置にＰＣ梁２−１９を配置する。
【００６３】
そして、図１３に示すように、ＰＣ梁２−２０を本来の建て込み位置の方向（図中矢印ａ方向）に回転させ、ＰＣ梁２−１９を本来の建て込み位置の方向（図中矢印ｃ方向）回転させながら、ＰＣ梁２−１９を本来の建て込み位置の方向（図中矢印ｂ方向）にスライドさせることにより、ＰＣ梁２−１９の仕口部２ａの梁主筋３がＰＣ梁２−２０の梁主筋継手４内に徐々に挿入され、ＰＣ梁２−１９の梁部２ｂの梁主筋３がＰＣ梁２−４の仕口部２ａの梁主筋継手４内に徐々に挿入され、図１４に示すように、ＰＣ梁２−２０及びＰＣ梁２−１９が本来の位置に建て込まれることになる。
そして、本実施の形態において、前記第１の実施の形態と同様の作用効果を奏する。
【００６４】
なお、本実施の形態においても、ＰＣ梁２−１９の仕口部２ａに梁主筋継手を設け、梁部２ｂに梁主筋継手を設け、ＰＣ梁２−４の仕口部２ａに梁主筋を設け、ＰＣ梁２−２０に梁主筋を設け、ＰＣ梁２−１９の仕口部２ａの梁主筋継手内にＰＣ梁２−２０の梁主筋を挿入し、梁部２ｂの梁主筋継手内にＰＣ梁２−１４の仕口部２ａの梁主筋を挿入するように構成してもよい。
【００６５】
また、本実施の形態においても、ＰＣ梁２−１９及びＰＣ梁２−２０を本来の建て込み位置から上方にずらした状態に配置し、その位置から本来の建て込み位置に向けて回転（移動）させることにより、本来の建て込み位置に建て込むように構成してもよい。
【００６６】
さらに、本実施の形態においても、９０°以外の角度のプレキャストコンクリート柱梁架構１（図１６参照）の仕口部の建て込みに適用してもよい。
【００６７】
さらに、本実施の形態においても、ＰＣ梁２−１９及びＰＣ梁２−２０のスパンが長くなるほど、ＰＣ梁２−１９及びＰＣ梁２−２０の相手方ＰＣ梁２−４、２−１９の梁主筋継手４の軸線方向へのスライド量を少なくすることができる。
【００６８】
さらに、本実施の形態においても、ＰＣ梁２−４及びＰＣ梁２−２０が接続される内周架構１５の相手側ＰＣ梁は、プレキャストコンクリート造に限らず、現場打ち工法によって製作されたコンクリート梁であってもよい。
【００６９】
図１５には、本発明によるプレキャストコンクリート部材の建て込み方法の第４の実施の形態が示されている。
本実施の形態のプレキャストコンクリート部材の建て込み方法は、立方体形状の仕口部材５を用いて、ＰＣ柱１−１５と２方向のＰＣ梁２−２３、ＰＣ梁２−２４とを接続する場合に適用したものであって、その他の構成は前記第１の実施の形態に示すものと同様である。
なお、ＰＣ柱１−１５がなく、仕口部材５のみにＰＣ梁２−２３、及びＰＣ梁２−２４を接続する場合にも適用することができる。
【００７０】
ここで、仕口部材５が第１のプレキャストコンクリート部材であり、ＰＣ梁２−２３が第２のコンクリート部材（第２のプレキャストコンクリート部材）であり、ＰＣ梁２−２４が第３のコンクリート部材（第３のプレキャストコンクリート部材）である。
【００７１】
本実施の形態では、まず、仕口部材５をＰＣ柱１−１５の上部に落とし込み、仕口部材５の下面から突出している中継柱筋６をＰＣ柱１−１５の上端部の柱主筋継手７内に挿入することで、ＰＣ柱１−１５の上部に仕口部材５を接合する。
なお、仕口部材５は、ＰＣ柱１−１５の上部に一体に形成されていてもよい。
【００７２】
そして、ＰＣ梁２−２３、及びＰＣ梁２−２４を本来の建て込み位置から水平方向外方にずらした状態に配置し、この位置において、仕口部材５の両側面の梁主筋３をＰＣ梁２−２３、及びＰＣ梁２−２４の端部の梁主筋継手４内に挿入する。
【００７３】
そして、ＰＣ梁２−２３及びＰＣ梁２−２４を本来の建て込み位置に向けて回転させることにより、仕口部材５の両側面の梁主筋３がＰＣ梁２−２３及びＰＣ梁２−２４の梁主筋継手４内に徐々に挿入され、梁主筋３が梁主筋継手４内に完全に挿入されることにより、ＰＣ梁２−２３及びＰＣ梁２−２４が本来の建て込み位置に建て込まれることになる。
そして、本実施の形態においても、前記第１の実施の形態を同様の作用効果を奏する。
【００７４】
なお、本実施の形態においても、仕口部材５に梁主筋継手、柱主筋継手を設け、ＰＣ梁２−１３、２−２４に梁主筋を設け、ＰＣ柱１−５に柱主筋を設け、仕口部材５の梁主筋継手にＰＣ梁２−２３、２−２４の梁主筋を挿入し、仕口部材５の柱主筋継手内にＰＣ柱１−１５の柱主筋を挿入するように構成してもよい。
【００７５】
さらに、本実施の形態においても、９０°以外の角度のプレキャストコンクリート柱梁架構１（図１６参照）の仕口部へのＰＣ梁の建て込みに適用してもよい。
【００７６】
さらに、本実施の形態においても、ＰＣ梁２−２３及びＰＣ梁２−２４を、本来の建て込み位置から上方にずらした状態に配置し、その位置から本来の建て込み位置の方向に回転（移動）させることにより、ＰＣ梁２−２３及びＰＣ梁２−２３を本来の建て込み位置に建て込んでもよい。
【００７７】
さらに、本実施の形態においても、ＰＣ梁２−２３、ＰＣ梁２−２４、及びＰＣ柱１−１５は、プレキャストコンクリート造に限らず、現場打ち工法によって製作されたコンクリート梁であってもよい。
【００７８】
なお、本発明のプレキャストコンクリート部材の建て込み方法は、前記各実施の形態において説明したように、第１のプレキャストコンクリート部材に対して、２つの異なる方向から第２及び第３のコンクリート部材（第２及び第３のプレキャストコンクリート部材）を建て込む場合に、一方の部材又は他方の部材から鉄筋を突出させ、他方の部材又は一方の部材に継手部材を埋設し、一方の部材又は他方の部材の鉄筋を、他方の部材又は一方の部材の継手部材に挿入すればよい。
【００７９】
また、第１のプレキャストコンクリート部材に対して、２つの異なる方向から第２及び第３のコンクリート部材（第２及び第３のプレキャストコンクリート部材）を建て込む場合に、第１のプレキャストコンクリート部材を水平方向にずらした状態に配置し、その位置から本来の建て込み位置に向けて回転させたが、第１のプレキャストコンクリート部材を上方にずらした状態に配置し、その位置から本来の建て込み位置に向けて回転（移動）させてもよい。また、第１のプレキャストコンクリート部材と、第２又は第３のコンクリート部材の少なくとも何れか一方とを、本来の建て込み位置から水平方向、或いは上方にずらした状態に配置し、その位置から本来の建て込み位置に向けて回転（移動）させてもよい。
【００８０】
さらに、図１７及び図１８に示すように、第１のプレキャストコンクリート部材を、仕口部１６、仕口部を含む梁１７、又は仕口部を含む柱１９とし、第２及び第３のコンクリート部材を、仕口部２６、仕口部を含む梁２７、中間梁２８、仕口部を含む柱２９とし、それらを任意に組み合わせることによって構築されるプレキャストコンクリート柱梁架構に本発明を適用してもよい。
但し、柱梁架構を構成することができない組み合わせ（例えば、第１プレキャストコンクリート部材が仕口部を含む柱１９、第２及び第２コンクリート部材が仕口部を含む柱２９等の組み合わせ）には適用することができない。
【００８１】
さらに、前記各実施の形態のＰＣ梁の仕口部は、仕口部とＰＣ柱とが一体に形成されていてもよいし、仕口部とＰＣ梁とが一体に形成されていてもよいし、仕口部だけであってもよい。
【００８２】
さらに、前記各実施の形態においては、本発明をＰＣ梁の仕口部への建て込みに適用したが、ＰＣ柱の仕口部への建て込みに本発明を適用してもよい。
【符号の説明】
【００８３】
１  プレキャストコンクリート柱梁架構
１−１〜１−１５  プレキャストコンクリート柱（ＰＣ柱）
２−１〜２−２４  プレキャストコンクリート梁（ＰＣ梁）
２ａ  仕口部
２ｂ  梁部
３  梁主筋
４  梁主筋継手
５  仕口部材
６  中継柱主筋
７  柱主筋継手
１０  外周架構
１１  直線部
１２  コーナー部
１５  内周架構
１６、２６  仕口部
１７、２７  仕口部を含む梁
１９、２９  仕口部を含む柱
２８  中間梁
【図１】
0005640435.tif 000002
【図２】
0005640435.tif 000003
【図３】
0005640435.tif 000004
【図４】
0005640435.tif 000005
【図５】
0005640435.tif 000006
【図６】
0005640435.tif 000007
【図７】
0005640435.tif 000008
【図８】
0005640435.tif 000009
【図９】
0005640435.tif 000010
【図１０】
0005640435.tif 000011
【図１１】
0005640435.tif 000012
【図１２】
0005640435.tif 000013
【図１３】
0005640435.tif 000014
【図１４】
0005640435.tif 000015
【図１５】
0005640435.tif 000016
【図１６】
0005640435.tif 000017
【図１７】
0005640435.tif 000018
【図１８】
0005640435.tif 000019
【図１９】
0005640435.tif 000020